(57)【要約】【課題】筆記具本体と独立して摩擦体を使用することができる熱変色性筆記具セットを提供する。【解決手段】本発明の熱変色性筆記具セット１は、筆記具本体２と、キャップ３と、摩擦体４とからなる。筆記具本体２は、内部に熱変色性インキを収容し且つ前端に前記熱変色性インキが吐出可能なペン先２１を設けられる。前記キャップ３は、筆記具本体２のペン先２１側に着脱自在に装着される。前記摩擦体４は、熱変色性インキの筆跡を摩擦しその際に生じる摩擦熱で熱変色性インキの筆跡を熱変色可能である。キャップ３の開口部に摩擦体４を挿着可能に構成する。【選択図】  図３
2011230440.tif 000002
【特許請求の範囲】
【請求項１】
内部に熱変色性インキを収容し且つ前端に前記熱変色性インキが吐出可能なペン先を設けた筆記具本体と、前記筆記具本体のペン先側に着脱自在に装着されるキャップと、前記熱変色性インキの筆跡を摩擦しその際に生じる摩擦熱で前記熱変色性インキの筆跡を熱変色可能な摩擦体とからなる熱変色性筆記具セットであって、
前記キャップの開口部に前記摩擦体を挿着可能に構成したことを特徴とする熱変色性筆記具セット。
【請求項２】
前記摩擦体が、一端に設けた第１の摩擦部と、他端に設けた第２の摩擦部と、該第１の摩擦部と第２の摩擦部との間の外面に設けた鍔部とからなり、前記第１の摩擦部及び前記第２の摩擦部をキャップの開口部に挿着可能に構成し、前記第１の摩擦部または前記第２の摩擦部をキャップの開口部に挿着した際、前記摩擦体の鍔部がキャップの開口端に当接してなる請求項１記載の熱変色性筆記具セット。
【請求項３】
前記摩擦体が、一端に設けた第１の摩擦部と、他端に設けた第２の摩擦部と、該第１の摩擦部と第２の摩擦部との間の外面に設けた鍔部とからなり、前記第１の摩擦部及び前記第２の摩擦部を小ャップの開口部に挿着可能に構成し、前記第１の摩擦部または前記第２の摩擦部を小キャップの開口部に挿着した際、前記摩擦体の鍔部が小キャップの開口端に当接してなり、
前記小キャップが、一端が閉塞され且つ他端が開口された有底筒体からなり、前記小キャップの開口側の外面に第１の嵌合部を設け、前記小キャップの閉塞側の外面に第２の嵌合部を設け、前記第１の嵌合部及び前記第２の嵌合部を前記キャップの開口部に挿着可能に構成した請求項１記載の熱変色性筆記具セット。
【請求項４】
前記小キャップの第１の嵌合部と第２の嵌合部との間の外面に鍔部を設け、前記第１の嵌合部または前記第２の嵌合部をキャップの開口部に挿着した際、前記小キャップの鍔部がキャップの開口端に当接してなる請求項３記載の熱変色性筆記具セット。
【発明の詳細な説明】
【技術分野】
【０００１】
本発明は、熱変色性筆記具セットに関する。詳細には、内部に熱変色性インキを収容した熱変色性筆記具と、該熱変色性筆記具による熱変色性インキの筆跡を摩擦により熱変色可能な摩擦体とからなる熱変色性筆記具セットに関する。
【背景技術】
【０００２】
特許文献１には、熱変色性筆記具の軸体の反ペン先側の端部に摩擦具を挿着可能にした構成が開示されている。
【先行技術文献】
【特許文献】
【０００３】
【特許文献１】特開２００９−２３２７２号公報
【発明の概要】
【発明が解決しようとする課題】
【０００４】
前記従来の熱変色性筆記具は、摩擦具を熱変色性筆記具の反ペン先側の端部に設けるため、
携帯には便利であるが、独立して摩擦具を使用したいユーザーにとって使いづらいものであった。
【０００５】
本発明は、前記従来の問題点を解決するものであって、筆記具本体と独立して摩擦体を使用することができる熱変色性筆記具セットを提供しようとするものである。
【課題を解決するための手段】
【０００６】
［１］本願の第１の発明は、内部に熱変色性インキを収容し且つ前端に前記熱変色性インキが吐出可能なペン先２１を設けた筆記具本体２と、前記筆記具本体２のペン先２１側に着脱自在に装着されるキャップ３と、前記熱変色性インキの筆跡を摩擦しその際に生じる摩擦熱で前記熱変色性インキの筆跡を熱変色可能な摩擦体４とからなる熱変色性筆記具セットであって、前記キャップ３の開口部に前記摩擦体４を挿着可能に構成したことを要件とする。
【０００７】
前記第１の発明の熱変色性筆記具セット１は、キャップ３の開口部に摩擦体４を挿着可能に構成したことにより、筆記具本体２と独立して摩擦体４を使用することができ、摩擦具を独立して使用したいユーザーを満足できる。
【０００８】
［２］本願の第２の発明は、前記第１の発明の熱変色性筆記具セット１において、前記摩擦体４が、一端に設けた第１の摩擦部４１と、他端に設けた第２の摩擦部４２と、該第１の摩擦部４１と第２の摩擦部４２との間の外面に設けた鍔部４３とからなり、前記第１の摩擦部４１及び前記第２の摩擦部４２をキャップ３の開口部に挿着可能に構成し、前記第１の摩擦部４１または前記第２の摩擦部４２をキャップ３の開口部に挿着した際、前記摩擦体４の鍔部４３がキャップ３の開口端に当接してなることを要件とする。
【０００９】
前記第２の発明の熱変色性筆記具セット１は、前記構成により、第１の摩擦部４１と第２の摩擦部４２とを選択的に使用でき、且つ、摩擦体４をキャップ３に安定して保持できる。
【００１０】
［３］本願の第３の発明は、前記第１の発明の熱変色性筆記具セット１において、前記摩擦体４が、一端に設けた第１の摩擦部４１と、他端に設けた第２の摩擦部４２と、該第１の摩擦部４１と第２の摩擦部４２との間の外面に設けた鍔部４３とからなり、前記第１の摩擦部４１及び前記第２の摩擦部４２を小ャップの開口部に挿着可能に構成し、前記第１の摩擦部４１または前記第２の摩擦部４２を小キャップ５の開口部に挿着した際、前記摩擦体４の鍔部４３が小キャップ５の開口端に当接してなり、前記小キャップ５が、一端が閉塞され且つ他端が開口された有底筒体からなり、前記小キャップ５の開口側の外面に第１の嵌合部５１を設け、前記小キャップ５の閉塞側の外面に第２の嵌合部５２を設け、前記第１の嵌合部５１及び前記第２の嵌合部５２を前記キャップ３の開口部に挿着可能に構成したことを要件とする。
【００１１】
前記第３発明の熱変色性筆記具セット１は、前記構成により、第１の摩擦部４１と第２の摩擦部４２を選択して使用できる。
【００１２】
［４］本願の第４の発明は、前記第３の発明の熱変色性筆記具セット１において、前記小キャップ５の第１の嵌合部５１と第２の嵌合部５２との間の外面に鍔部５３を設け、前記第１の嵌合部５１または前記第２の嵌合部５２をキャップ３の開口部に挿着した際、前記小キャップ５の鍔部５３がキャップ３の開口端に当接してなることを要件とする。
【００１３】
前記第４発明の熱変色性筆記具セット１は、前記構成により、摩擦体４をキャップ３に安定して保持できる。
【００１４】
・熱変色性インキ
前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００１５】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００１６】
本実施の形態では、図６に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用される。図６において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００１７】
本実施の形態では、摩擦部の摩擦熱による前記熱変色性インキの変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦部による摩擦熱で容易に変色することができる。
【００１８】
・摩擦体
尚、本発明で、摩擦体４の第１の摩擦部４１及び第２の摩擦部４２は、弾性を有する樹脂（ゴム、エラストマー）により構成されることが好ましい。前記弾性を有する樹脂は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記第１の摩擦部４１及び第２の摩擦部４２を構成する弾性材料（または摩擦具１を構成する弾性材料）は、高摩耗性の弾性材料（例えば、消しゴム等）からなるものよりも、摩擦時に磨耗屑が生じない低摩耗性の弾性材料からなることが好ましい。
【発明の効果】
【００１９】
本発明は、筆記具本体と独立して摩擦体を使用することができる熱変色性筆記具セットを得る。
【図面の簡単な説明】
【００２０】
【図１】本発明の第１の実施の形態の使用例を示す縦断面図である。
【図２】本発明の第１の実施の形態の他の使用例を示す縦断面図である。
【図３】本発明の第１の実施の形態の筆記具本体とキャップと摩擦体を示す図である。
【図４】本発明の第２の実施の形態の使用例を示す縦断面図である。
【図５】本発明の第２の実施の形態の他の使用例を示す縦断面図である。
【図６】熱変色性インキの変色挙動を示す説明図である。
【発明を実施するための形態】
【００２１】
＜第１の実施の形態＞
本発明の第１の実施の形態を図１乃至図３に示す。
本実施の形態の熱変色性筆記具セット１は、筆記具本体２と、キャップ３と、摩擦体４とからなる。
【００２２】
前記筆記具本体２は、内部に熱変色性インキが収容され、且つ、一端に該熱変色性インキが吐出可能なペン先２１を備える。
【００２３】
前記キャップ３は、一端が開口され且つ他端が閉鎖された有底筒体よりなる。前記キャップ３の開口部は、前記筆記具本体２のペン先２１側の外面に着脱自在に装着される。前記キャップ３の外面には、ポケット等に挟持可能なクリップ３１が設けられる。
【００２４】
前記摩擦体４は、一端に設けた第１の摩擦部４１と、他端に設けた第２の摩擦部４２と、該第１の摩擦部４１と第２の摩擦部４２との間の外面に設けた鍔部４３とからなる。前記第１の摩擦部４１と、前記第２の摩擦部４２とは、形状が異なる。
【００２５】
前記第１の摩擦部４１及び前記第２の摩擦部４２をキャップ３の開口部に挿着可能に構成し、前記第１の摩擦部４１または前記第２の摩擦部４２をキャップ３の開口部に挿着した際、前記摩擦体４の鍔部４３がキャップ３の開口端に当接する。
【００２６】
＜第２の実施の形態＞
本発明の第２の実施の形態を図４及び図５に示す。
本実施の形態の熱変色性筆記具セット１は、筆記具本体２と、キャップ３と、摩擦体４と、小キャップ５とからなる。
【００２７】
前記筆記具本体２は、内部に熱変色性インキが収容され、且つ、一端に該熱変色性インキが吐出可能なペン先２１を備える。
【００２８】
前記キャップ３は、一端が開口され且つ他端が閉鎖された有底筒体よりなる。前記キャップ３の開口部は、前記筆記具本体２のペン先２１側の外面に着脱自在に装着される。前記キャップ３の外面には、ポケット等に挟持可能なクリップ３１が設けられる。
【００２９】
前記摩擦体４は、一端に設けた第１の摩擦部４１と、他端に設けた第２の摩擦部４２と、該第１の摩擦部４１と第２の摩擦部４２との間の外面に設けた鍔部４３とからなる。前記第１の摩擦部４１と、前記第２の摩擦部４２とは、形状が異なる。
【００３０】
前記小キャップ５は、一端が閉塞され且つ他端が開口された有底筒体からなる。前記小キャップ５の開口側の外面に第１の嵌合部５１を設け、前記小キャップ５の閉塞側の外面に第２の嵌合部５２を設け、前記第１の嵌合部５１及び前記第２の嵌合部５２を前記キャップ３の開口部に挿着可能に構成する。
【００３１】
前記小キャップ５の第１の嵌合部５１と第２の嵌合部５２との間の外面に鍔部５３を設け、前記第１の嵌合部５１または前記第２の嵌合部５２をキャップ３の開口部に挿着した際、前記小キャップ５の鍔部５３がキャップ３の開口端に当接する。
【符号の説明】
【００３２】
１  熱変色性筆記具セット
２  筆記具本体
２１  ペン先
３  キャップ
３１  クリップ
４  摩擦体
４１  第１の摩擦部
４２  第２の摩擦部
４３  鍔部
５  小キャップ
５１  第１の嵌合部
５２  第２の嵌合部
５３  鍔部
【図１】
2011230440.tif 000003
【図２】
2011230440.tif 000004
【図３】
2011230440.tif 000005
【図４】
2011230440.tif 000006
【図５】
2011230440.tif 000007
【図６】
2011230440.tif 000008